(57)【特許請求の範囲】
【請求項１】
シンク天板に貫設されたポケット本体の取り付け孔に密に嵌入し、上縁部に上記取り付け孔周縁を挟着可能とした二重縁を外向きに設け、下縁部には内面側に下り傾斜面を有する爪片を一定間隔で垂設してなる一対の割ソケットと、該割ソケットに密に嵌合可能なポケット本体とから構成され、底面に導水口を突成したポケット本体の上部は、上記割ソケットの上端縁を跨いでシンク天板面と密着可能な湾曲鍔を周設する一方、ポケット本体の外面には少なくとも上記割ソケットの爪片が弾性的に係入可能な凹入部を設けたことを特徴とするシンクポケット。
【請求項２】
一対の割ソケットの各内端部を柔軟な帯条で連結した請求項１記載のシンクポケット。
【発明の詳細な説明】
【０００１】
【発明の属する技術分野】
この発明は、主としてキャビネット型流し台におけるシンク天板面に貫設された取り付け孔に対するシンクポケットの装着手段に関する。
【０００２】
【従来の技術】
一般家庭などにおいて広く普及している近年のキャビネット型流し台は、シンク天板の一部に食器などの洗剤や洗浄具を簡便に収納できるポケットを陥設したものが広く利用されるようになった。
【０００３】
ところで、このシンクポケットの装着手段は、図５に例示したように通常ステンレス鋼板で一体成型され、キャビネットの上部に陥着されるシンクの天板（イ）の奥側に、予め所定の大きさのポケット本体（ロ）が密に嵌入可能なポケット取り付け孔（ハ）を打ち抜き、必要に応じてその内周縁を僅かに上方に起立させて水切り縁（ニ）を形成した上、上記取り付け孔（ハ）に該孔周を囲繞して環着されるパッキン（ホ）を介してプラスチック成型され、その底面に導水孔（ヘ）を突成してなる上記ポケット本体（ロ）を陥入し、その上鍔部（ト）がシンク天板（イ）面に係止されるようにする一方、底板に上記ポケット本体底面の導水口（ヘ）が貫通可能な透孔（リ）を備え、ポケット本体（ロ）の挿着時に両側壁の上縁（ヌ）が天板（イ）の下面に当接する断面上向きコ字状の受け板（チ）を上記ポケット本体（ロ）の下底側から挿着し、上記両部材（ロ）（チ）をナット等（ル）によって締め付け固定し、更に上記導水口（ヘ）とシンク側の排水トラップ（図示せず）とをホース等（オ）で連結するものが広く知られている。
【０００４】
【発明が解決しようとする課題】
上述した従来のシンクポケットの装着手段によれば、上記取り付け孔（ハ）にポケット本体（ロ）を陥入後に該ポケット本体（ロ）の下方から受け板（チ）を挿着してナット（ル）によって締め付け固定し、更に導水孔（ヘ）と排水トラップ間にホースを接続する必要があったから、それらの作業は全て狭隘なキャビネット内部で行わなければならず、いきおい工事の正確性並びに作業能率の低下につながるという課題が見られたのである。
【０００５】
【課題を解決するための手段】
かかる実状に対処して本発明は、シンク天板に対するシンクポケットの装着手段の簡略化を解決課題として鋭意、実験・改良を重ねてきた結果、プラスチックから成型され、上縁部にシンク天板に貫設された取り付け孔の周縁を挟着して密に嵌合可能とした二重縁を外設し、下縁内部には下向きに一定角度の傾斜面を突成した爪片を一定間隔で垂下して設けたソケットを中央から左右に二分割した形状の割ソケットとし、該割ソケットの上記二重縁をシンク天板の取り付け孔周縁に嵌着した状態で、該ソケット内に密嵌可能に成型したポケット本体には、底面に導水口を突成し、上周縁が上記割ソケットの上部縁を跨いでシンク天板面と密着可能な湾曲鍔とする一方、ポケット本体の外面に少なくとも上記割ソケットの爪片と対応する位置に、該爪片が弾性的に係入可能な傾斜面を備えた凹入部を凹設することにより、上述した流し台シンクにおけるシンクポケットの装着を簡単容易として、従来技術の課題を解消せしめたものである。
【０００６】
【発明の実施の形態】
以下、本発明に係るシンクポケットの装着手段を図面に示す実施の形態に基づいて更に詳述すると、図１において、１は流し台キャビネット、２はシンク槽、３は下方が排水管３ａと接続する排水トラップであって、下記ポケット本体４との間をホース３ｂで連結するものであり、又４は上記シンクの天板２ａに陥着されたポケット本体を示す。
【０００７】
図２は、本発明における割ソケット５を示したもので、上縁部はシンク天板２ａに開設されたポケットの取り付け孔２ｂの周縁を上方に屈成した水切り縁２ｃを含んで挟着可能な上下の二重縁５ａ、５ｂとし（この部分は図４を参照されたい）、上部縁５ａは原則としてソケットの全周に通設され、その突出幅は少量として該縁下面が上記取り付け孔２ｂの上面に係止できる程度とするが、下部縁５ｂは比較的長く突出させて、取り付け孔の下面に係合可能とし、該ソケットがシンク天板の上方へ抜け出さないようにしたものであるから、必ずしも全周に設ける必要はなく、少なくとも該ソケット５の長手方向の中央部分と左右両側（図２の左右端）の端部に設ければよい。そして上記構成の割ソケット５を適宜操作しつつ、上下の二重縁５ａ、５ｂをシンク天板２ａに嵌着させるのである。
【０００８】
又、５ｃは上記割ソケット５の下縁に適宜な間隔で垂設された爪片を表し、各爪片５ｃ下端部の内面側には略水平な下面に向かう角度（α）が２０〜６０度、好ましくは約３０゜の下り傾斜面５ｄを形成したものであり、各爪片５ｃの垂設間隔は任意に設定されるものであるが、該割ソケットの左右両側端には、上記構成の下部縁５ｂ及び爪片５ｃを対設することが望ましい。
【０００９】
尚、図中５ｅは上記割ソケット５の各内端部を連結する柔軟な帯条であって、これによって割ソケット５を一体に連繁し、その長手方向の距離を一定量伸縮し得るように構成したものである。
【００１０】
更に図３は、上記ポケット本体４を示し、その上縁に周設される湾曲鍔４ａはシンク天板２ａの取り付け孔２ｂに上方から嵌着されて上記割ソケット５の上部縁５ａを跨いでシンク天板面に密着する下端面を備え、必要に応じてその空間部と上記取り付け孔の水切り縁２ｃの間にパッキン（ｐ）を介在させたものである。
【００１１】
又、ポケット本体４の底面には導水口４ｂを下方に突成すると共に、外周面に上記割ソケット５に嵌着した際に、上記爪片５ｃの位置と一致する高さで、且つ爪片の傾斜面５ｄと密接する内向き傾斜面４ｄを備えた凹入部４ｃを各爪片５ｃと対向する位置に設けるか、又は上記凹入部を全外周に通設してもよい。このようにして爪片５ｃが凹溝４ｃに係入した場合のポケット本体４は、上端の湾曲鍔４ａの下端面により、シンク天板２ａに係着して下降が阻止される一方、下縁がシンク天板の下面に係合して上昇することのない割ソケット５で上昇を阻止されるから、装着後のポケット本体４に強い外力によっても上・下両方に抜け外れることはない。
【００１２】
而して上記実施例においては、主としてシンク天板２の取り付け孔内周囲に水切り縁２ｃを起立させた構造についての割ソケット５の二重縁の構造について述べたが（図４参照）、シンク及びシンク天板が法瑯材、その他で取り付け孔２ｂ周縁に水切り縁の屈成加工が施されない場合でも、本発明のシンクポケットは上述した割ソケット５の二重縁の間隔を該天板厚に合わせることで密接に挟持させることが可能であり、これによって前述の場合と全く同様に適用し得るものである。
【００１３】
【発明の効果】
以上詳述したように、本発明に係るシンクポケットは、上記構成としたことによって構成部材である上記ソセット及びポケット本体は、いづれもプラスチック材を一体成型して得られるものであり、また両者の結合は謂わゆる“はめ殺し”であるから、装着後のシンクポケットが頑堅強固で、しかも装着作業の大部分がシンク天板の上面側から行えるため、作業手順が極めて簡単であって特殊な技術を要せずして短時間にシンクポケットが正確に装着できる等、製作面並びに施工面において優れた効果が期待できるのである。
【００１４】
本発明のシンクポケットは、シンク天板への装着前からポケット本体の導水口に、排水トラップ側との連結ホースを接続しておくことが可能となるので、従来構造のシンクポケットの装着工事のネックとされていた狭隘なキャビネット内部での作業が、上記連結ホースの末端を排水トラップ側に接続する程度で完了できて作業能率の大幅な向上が図れるという優れた利益が齎らされるものである。
【図面の簡単な説明】
【図１】シンクポケット等の配置を示す流し台キャビネット要部の縦断面図
【図２】割ソケットの斜視図
【図３】ポケット本体の斜視図
【図４】シンク天板、割ソケット、ポケット本体の装着状態を拡大して示す部分断面図
【図５】従来のシンクポケットの装着例を示す部分断面図
【符号の説明】
１      流し台キャビネット
２      シンク
３      排水トラップ
４      ポケット本体
４ａ    湾曲縁
４ｂ    導水口
４ｃ    凹入部
４ｄ    傾斜面
５      割ソケット
５ａ    上部縁
５ｂ    下部縁
５ｃ    爪片
５ｄ    傾斜面
５ｅ    帯条
【図１】
0003800569.tif 000002
【図２】
0003800569.tif 000003
【図３】
0003800569.tif 000004
【図４】
0003800569.tif 000005
【図５】
0003800569.tif 000006